(57)【特許請求の範囲】
【請求項１】
参照信号を一連の伝送時間で第１の装置から送信し、
通信信号を第２の装置から受信し、
前記通信信号に応じて前記第２の装置に確認応答を送信することを前記第１の装置が決定したことに応じて、応答符号及び装置識別子（ＩＤ）に関数を適用することで、応答スクランブリング符号を生成し、
確認応答を示す少なくとも１つのスクランブル化参照信号を生成するように、前記一連の伝送時間のうち少なくとも１つの伝送時間について前記参照信号を前記応答スクランブリング符号でスクランブル化する、
方法。
【請求項２】
前記確認応答は、肯定確認（ＡＣＫ）応答であり、
前記応答符号は、肯定確認（ＡＣＫ）応答符号である、
請求項１に記載の方法。
【請求項３】
前記確認応答は、否定確認（ＮＡＣＫ）応答であり、
前記応答符号は、否定確認（ＮＡＣＫ）応答符号である、
請求項１に記載の方法。
【請求項４】
前記応答符号に前記関数を適用することは、
前記応答スクランブリング符号を生成するように、前記応答符号及び前記装置識別子（ＩＤ）に排他的論理和（ＸＯＲ）関数を適用することを含む、
請求項１に記載の方法。
【請求項５】
前記第２の装置に肯定確認応答を示すために、前記応答符号は、前記肯定確認（ＡＣＫ）応答符号であり、
前記第２の装置に否定確認応答を示すために、前記応答符号は、前記否定確認（ＮＡＣＫ）応答符号である、
請求項４に記載の方法。
【請求項６】
前記第１の装置は、セルラ通信システムで動作する第１の装置間（Ｄ２Ｄ）無線通信装置であり、
前記第２の装置は、前記セルラ通信システムで動作する第２のＤ２Ｄ無線通信装置であり、
前記通信信号は、通信仕様で定義された定義済みマクロセル通信リソースの一部であるＤ２Ｄ通信リソースによって送信されるＤ２Ｄ信号である、
請求項１に記載の方法。
【請求項７】
参照信号を一連の伝送時間で送信するように構成された送信部と、
通信信号を他の無線通信装置から受信するように構成された受信部と、
前記通信信号に応じて前記第２の装置に確認応答を送信することを決定するように構成された制御部と、
応答符号及び装置識別子（ＩＤ）に関数を適用することで、応答スクランブリング符号を生成するように構成された符号化器と、
確認応答を示す少なくとも１つのスクランブル化参照信号を生成するように、前記一連の伝送時間のうち少なくとも１つの伝送時間について前記参照信号を前記応答スクランブリング符号でスクランブル化するように構成されたスクランビング器と、
を含み、
前記送信部は、前記少なくとも１つのスクランブル化参照信号を前記他の無線通信装置に送信するように構成されている、
無線通信装置。
【請求項８】
前記確認応答は、肯定確認（ＡＣＫ）応答であり、
前記応答符号は、肯定確認（ＡＣＫ）応答符号である、
請求項７に記載の無線通信装置。
【請求項９】
前記確認応答は、否定確認（ＮＡＣＫ）応答であり、
前記応答符号は、否定確認（ＮＡＣＫ）応答符号である、
請求項７に記載の無線通信装置。
【請求項１０】
前記関数は、排他的論理和（ＸＯＲ）関数であり、前記符号化器は、前記応答符号及び前記装置識別子（ＩＤ）に前記排他的論理和（ＸＯＲ）関数を適用することで、前記応答スクランブリング符号を生成するように構成された排他的論理和（ＸＯＲ）器を含む、
請求項７に記載の無線通信装置。
【請求項１１】
前記第２の装置に肯定確認応答を示すために、前記応答符号は、肯定確認（ＡＣＫ）応答符号であり、
前記第２の装置に否定確認応答を示すために、前記応答符号は、否定確認（ＮＡＣＫ）応答符号である、
請求項１０に記載の無線通信装置。
【請求項１２】
前記無線通信装置は、セルラ通信システムで動作する第１の装置間（Ｄ２Ｄ）無線通信装置であり、
前記他の無線通信装置は、前記セルラ通信システムで動作する第２のＤ２Ｄ無線通信装置であり、
前記通信信号は、通信仕様で定義された定義済みマクロセル通信リソースの一部であるＤ２Ｄ通信リソースによって送信されるＤ２Ｄ信号である、
請求項７に記載の無線通信装置。
【請求項１３】
第１の無線通信装置から第２の無線通信装置に送信される確認応答を、前記第２の無線通信装置において検出する方法であって、
複数の参照信号を徐々に送信するように一連の伝送時間で参照信号を送信する第１の無線通信装置に対し、前記第２の無線通信装置から、前記第１の無線通信装置からの確認応答を要する通信信号を送信し、
肯定確認（ＡＣＫ）符号及び装置識別子（ＩＤ）に排他的論理和（ＸＯＲ）関数を適用することで、肯定確認（ＡＣＫ）デスクランブリング符号を生成し、
前記複数の参照信号のうち少なくとも１つの参照信号に前記肯定確認デスクランブリング符号を適用し、
否定確認（ＮＡＣＫ）符号及び前記装置識別子（ＩＤ）に排他的論理和（ＸＯＲ）関数を適用することで、否定確認（ＮＡＣＫ）デスクランブリング符号を生成し、
前記少なくとも１つの参照信号に前記否定確認デスクランブリング符号を適用し、
前記肯定確認デスクランブリング符号により前記少なくとも１つの参照信号のデスクランブル化に成功した場合、前記第１の無線通信装置から肯定確認応答が送信されたと判断し、
前記否定応答デスクランブリング符号により前記少なくとも１つの参照信号のデスクランブル化に成功した場合、前記第１の無線通信装置から否定確認応答が送信されたと判断する、
方法。
【請求項１４】
前記第１の無線通信装置は、セルラ通信システムで動作する第１の装置間（Ｄ２Ｄ）無線通信装置であり、
前記第２の無線通信装置は、前記セルラ通信システムで動作する第２のＤ２Ｄ無線通信装置であり、
前記通信信号は、通信仕様で定義された定義済みマクロセル通信リソースの一部であるＤ２Ｄ通信リソースによって送信されるＤ２Ｄ信号である、
請求項１３に記載の方法。
【発明の詳細な説明】
【関連出願】
【０００１】
本願は、２０１３年５月２３日に同時に出願され、本出願により、本願の譲渡人へ譲渡され、その全体が参照により明示的に組み込まれる、「チャネルの対称性を使用した装置間通信リソースの管理（MANAGEMENT OF DEVICE-TO-DEVICE COMMUNICATION RESOURCES USING CHANNEL SYMMETRY）」及び「セルラ通信システムにおける第１のＤ２Ｄ装置から第２のＤ２Ｄ装置への装置間（Ｄ２Ｄ）制御データの送信（TRANSMISSION OF DEVICE-TO-DEVICE (D2D) CONTROL DATA FROM A FIRST D2D DEVICE TO A SECOND D2D DEVICE IN A CELLULAR COMMUNICATION SYSTEM）」という名称で出願されたＰＣＴ特許出願に関連する。
【技術分野】
【０００２】
本発明は、概して、無線通信に関し、更に具体的には、参照信号による確認応答伝達に関する。
【背景技術】
【０００３】
無線通信では、一方の装置が他方の装置に対して確認応答を提供することがしばしば求められる。確認応答は、肯定又は否定確認応答であってもよい。典型的には、肯定確認応答は、ＡＣＫと称され、否定確認応答は、ＮＡＣＫ又はＮＡＫと称される。無線通信装置が確認で返答すべき際、システム設計、プロトコル、規格、又は他の要件が規定されている。確認は、通信信号の受信及び処理（復号及び復調）を、通信信号を受信した無線通信装置が成功したかを典型的には示すが、確認は、場合によっては、他の情報を示してもよい。他の情報の例として、第１の無線通信装置が通信セッションにおいて次のステップに対して準備が整っているか、及び第１の無線通信装置が利用可能かどうかを示すことを含む。従来のシステムにおいて、装置は、典型的には、制御チャネルを使って確認を提供する。幾つかのシステムでは、ＮＡＣＫは、次の符号化されたシンボルサブブロックの再送の必要性、又は最後の符号化されたシンボルブロックを繰り返す必要性を示す。ＡＣＫ／ＮＡＣＫ信号は、典型的には、ＢＰＳＫシンボルを使って送信され、ロバスト性のために複数回繰り返される、１ビットの情報である。
【発明の概要】
【０００４】
第１の無線通信装置は、一連の伝送時間で、参照信号を送信し、徐々に、複数の参照信号を送信する。第１の無線通信装置は、第２の装置から通信信号を受信する。通信信号に応じて確認応答が第２の装置に送信されるべきであると、第１の装置が決定したことに応じて、第１の無線通信装置は、符号を参照信号に対して、一連の伝送時間の少なくとも１つの伝送時間の間、適用する。その結果、得ることができる符号化参照信号は、第２の無線通信装置に対する確認応答を示す。
【図面の簡単な説明】
【０００５】
【図１Ａ】第１の無線通信装置から第２の無線通信装置に徐々に送信される一連の参照信号のブロック図である。
【図１Ｂ】第１の無線通信装置から第２の無線通信装置に送信されるＡＣＫ参照信号を含む一連の参照信号のブロック図である。
【図１Ｃ】第１の無線通信装置から第２の無線通信装置に送信されるＮＡＣＫ参照信号を含む一連の参照信号のブロック図である。
【図２】通信システムの一例であって、無線通信装置との通信のためにマクロセル通信リソースが使用され、無線通信装置間に装置間（Ｄ２Ｄ）通信リンクが確立される一例のブロック図である。
【図３】第１の無線通信装置の一例のブロック図である。
【図４】第２の無線通信装置の一例のブロック図である。
【図５Ａ】ＡＣＫ構成における排他的論理和（ＸＯＲ）符号化器の一例の図である。
【図５Ｂ】ＮＡＣＫ構成における排他的論理和（ＸＯＲ）符号化器の一例の図である。
【図５Ｃ】確認応答なしに参照信号を符号化するための構成における排他的論理和（ＸＯＲ）符号化器の一例の図である。
【図６】第２の無線通信装置において受信部としての使用に適した受信部の図である。
【図７】参照信号確認応答を生成する無線通信装置において実行される方法のフローチャートである。
【図８】無線通信装置において確認参照信号を受信する方法のフローチャートである。
【発明を実施するための形態】
【０００６】
図１Ａは、第１の無線通信装置１０２から第２の無線通信装置１０４に徐々に送信される一連の参照信号のブロック図である。参照信号１０６は、一連の伝送時間１０８で送信され、複数の参照信号１１０、１１２、１１４、１１６が徐々に送信される。伝送時間１０８は、両方の無線通信装置がタイミングを認識するように指定される。本明細書での例として、参照信号は、送信の間の設定された時間間隔（Ｔ）で定期的に送信される。しかしながら、他の送信タイミングを使用してもよい。場合によっては、異なる装置が複数の時間に基づいて異なる時間を使ってもよい。複数の装置が参照信号を送信する実施において、各装置からの参照信号の送信のために割り当てられた通信リソースは、他の装置との衝突及び干渉を最小化するように割り当てられる。
【０００７】
既知のように、参照信号は、装置検出／発見、同期、チャネル推定、及び信号獲得のために使用される。しかしながら、本明細書で検討される例では、参照信号は、符号化され、確認応答を伝達することができる。無線通信では、一方の装置が肯定又は否定確認応答を提供することがしばしば求められる。典型的には、肯定確認応答は、ＡＣＫと称され、否定確認応答は、ＮＡＣＫと称される。本明細書の例では、参照信号を送信する装置は、少なくとも１つの参照信号伝送時間で、参照信号を符号化、又は、操作し、確認応答を提供する。したがって、従来の参照信号を送信することに加えて、第１の装置は、肯定応答を示すＡＣＫ参照信号１１２及び否定応答を示すＮＡＣＫ参照信号１１６を送信してもよい。
【０００８】
従来の参照信号は、非符号化であるか、又は参照信号を受信している装置に対して既知の符号化を含む。例えば、従来の参照信号は、参照信号を送信している装置の電話番号などの装置識別子（ＩＤ）によりスクランブル化されてもよい。参照信号を受信している他の装置は、装置ＩＤを認識しており、該装置ＩＤを参照信号を受信するために適用する。本明細書での例として、追加の符号化を参照信号の一部に適用して、参照信号を受信している他の装置に情報を伝達する。例えば、ある符号はＡＣＫに対応し、他の符号はＮＡＣＫに対応する。異なる技術を使って符号を適用してもよいが、幾つかの例では、スクランブル方式及び変調方式を含む。排他的論理和（ＸＯＲ）関数を使って参照信号をスクランブル化するためのスクランブリング符号を生成する符号化の一例が以下に更に詳細に説明される。図１Ｂは、第１の無線通信装置１０２から第２の無線通信装置１０４に送信されるＡＣＫ参照信号１１２を含む一連の参照信号のブロック図である。図１Ｃは、第１の無線通信装置１０２から第２の無線通信装置１０４に送信されるＮＡＣＫ参照信号１１６を含む一連の参照信号のブロック図である。図１Ｂ及び図１Ｃの例として、第２の無線通信装置１０４は、通信信号１１８を第１の無線通信装置１０２に送信する。通信信号１１８は、２つの装置１０２、１０４間の通信セッションの間に送信される信号であってもよい。システ設計、プロトコル、規格、又は他の要件により、第１の無線通信装置１０２が確認で返答することが決められている。確認は、通信信号の受信及び処理を第１の無線通信装置１０２が成功したかを典型的には示すが、確認は、場合によっては、他の情報を示してもよい。他の情報の例として、第１の無線通信装置が通信セッションにおいて次のステップに対して準備が整っているかどうか、かつ第１の無線通信装置が利用可能かどうかを示すことを含む。従来のシステムにおいて、装置は、典型的には、制御チャネルを使って確認を提供する。しかし、本明細書の例として、通信リソースの使用が削減されるが、それは、既存のスケジューリング済みの送信が利用され、確認応答を送信するのに追加のリソースが使われないからである。また、ＮＡＣＫは、次の符号化されたシンボルサブブロックの再送の必要性、又は最後の符号化されたシンボルブロックを繰り返す必要性を示す。
【０００９】
図１Ｂ及び図１Ｃの例では、参照信号１１０、１１４、１２０、１２２は、確認応答を伝達するための追加の符号化を含まない。参照信号１１０、１１４、１２０、１２２は、装置ＩＤから導出した符号を使って符号化される。図１Ｂにおいて、第１の無線通信装置は、肯定応答（ＡＣＫ）符号を有する参照信号を参照信号の送信の１つのために符号化し、第２の無線通信装置１０４に対する肯定確認応答（ＡＣＫ）を生成する。例として、確認応答のために選択された時間は、通信信号１１８を受信した後の最初の送信時刻である。通信信号１１８は、送信時刻ｔ１と送信時刻ｔ２での参照信号１１０の送信の間において、第１の無線通信装置により受信される。他のタイミングを使用してもよい。図１Ｃでは、第１の無線通信装置は、否定応答（ＮＡＣＫ）符号を有する参照信号を参照信号１０６の送信の１つのために符号化し、第２の無線通信装置１０４に対する否定確認応答（ＡＣＫ）を生成する。例として、確認応答のために選択された時間は、通信信号１１８を受信した後の最初の送信時刻である。図１Ｃでは、通信信号１１８は、送信時刻ｔ３と送信時刻ｔ４での参照信号１１４の送信の間において、第１の無線通信装置により受信される。他のタイミングを使用してもよい。
【００１０】
参照信号確認方法は、様々な異なる種類の通信システム及び通信装置で使用されてもよい。１つの例では、第１の無線通信装置は、基地局、ｅＮｏｄｅＢ（ｅＮＢ）、アクセスポイント、又はコアネットワークに接続された他の送受信局であってもよい。第２の無線通信装置は、無線電話またはユーザ機器（ＵＥ）装置などの携帯型又は移動型ユーザ装置であってもよい。他の例において、第１の無線通信装置１０２が、移動型ユーザ装置の携帯型であってもよく、第２の無線通信装置が、基地局、ｅＮＢなどのコアネットワークに接続された送受信局であってもよい。
【００１１】
本明細書で検討される技術は、特に、装置間（Ｄ２Ｄ）システムにおいて有益であり得る。かかるシステムは、ユーザ装置（ＵＥ）が適当な状況下でお互いに直接通信し合うことができるマクロセル通信システムを含んでもよい。確認参照信号をそのようなシステムで使用すると、干渉及び重要な通信リソースを削減できるのは、追加のリソースを確認応答伝達のために割り当てないからである。
【００１２】
Ｄ２Ｄがサポートされているシステムの一例として、通信システムは、基地局（ｅＮｏｄｅＢ、ｅＮＢ）と無線通信ユーザ機器装置（ＵＥ）との間の通信のために、マクロセル通信リソースを利用する。マクロセル通信リソースは、基地局から無線通信ユーザ機器（ＵＥ）装置への下りリンク通信用の下りリンク通信リソースと、ＵＥ装置から基地局への上りリンク伝送用の上りリンク通信リソースと、を含む。上りリンク通信リソースは、下りリンク通信リソースとは異なる。マクロセル通信リソースの一部は、２つのＵＥ装置間の装置間（Ｄ２Ｄ）通信に、適宜、割り当てられる。Ｄ２Ｄ通信のために割り当てられた下りリンク通信リソースは、下りリンク通信には使用されない。例えば、通信リソースが時間・周波数通信リソースの場合、Ｄ２Ｄ通信リンクに割り当てられた時間区間と周波数帯（例えば、サブキャリア）は、基地局により使用されない。上りリンク通信リソースがＤ２Ｄ通信のために割り当てられる場合、リソースは、他のＤ２Ｄ通信、及び隣接セル内、及び同一セル内の上りリンク通信に対して、干渉が最小化されるように割り当てられる。Ｄ２Ｄ通信のためのマクロセルリソースを管理するための適当な技術の例が、国際出願ＵＳ２０１２／０６４７１１号明細書、代理人整理番号：ＴＵＴＬ  ００２１１  ＰＣ、発明の名称：「マクロセル通信リソースを使用した装置間通信管理（ＤＥＶＩＣＥ  ＴＯ  ＤＥＶＩＣＥ  ＣＯＭＭＵＮＩＣＡＴＩＯＮ  ＭＡＮＡＧＥＭＥＮＴ  ＵＳＩＮＧ  ＭＡＣＲＯＣＥＬＬ  ＣＯＭＭＵＮＩＣＡＴＩＯＮ  ＲＥＳＯＵＲＣＥＳ）」、（出願日：２０１２年１１月１２日）において検討され、参照によりその全体が本明細書に組み込まれる。
【００１３】
図２は、無線通信装置との通信のためにマクロセル通信リソースが使用され、無線通信装置間に装置間（Ｄ２Ｄ）通信リンク２０１が確立される通信システム２００の一例のブロック図である。マクロセル通信リソースとＤ２Ｄ通信リンクとの関係は、図１Ｂに示される。基地局２０２は、しばしば「セル」と称される地理的サービスエリア内の無線通信ユーザ機器（ＵＥ）装置２０４、２０６に対して無線通信サービスを提供する。したがって、ＵＥ装置２０４は、上記の無線通信装置１０２、１０４の例である。複数の基地局は、典型的には、バックホール２１０を介して相互接続され、広域をカバーするために複数のサービスエリアを提供する。通信システム２００を参照して説明されるブロックの様々な機能及び動作は、任意の数の装置、回路、又は要素で実施されてもよい。２つ以上の機能ブロックが１つの装置に統合され、１つの任意の装置において実行されるように記載される機能は、複数の装置に亘って実施されてもよい。例えば、制御部１０８の機能の少なくとも一部は、基地局２０２により実行されてもよく、その逆でもよい。セルラ通信システムは、典型的には、通信規格又は仕様に従う必要がある。第３世代パートナシッププロジェクト・ロング・ターム・エボリューション（３ＧＰＰ  ＬＴＥ）通信仕様は、下りリンクに対する直交周波数分割多重方式（ＯＦＤＭ）及び上りリンクに対するシングルキャリア周波数分割多元接続方式（ＳＣ−ＦＤＭＡ）を使って、基地局（ｅＮｏｄｅＢ）がサービスを無線通信装置（ユーザ機器（ＵＥ）装置）に提供するシステムのための仕様書である。本明細書に記載される技術は、他のタイプの通信システムに適用可能ではあるが、本明細書で検討される例示的なシステムは、３ＧＰＰ  ＬＴＥ通信仕様に従って動作する。
【００１４】
基地局２０２は、しばしばｅＮｏｄｅＢ又はｅＮＢと称される固定型の送受信局であり、場合によっては、制御部を含んでもよい。基地局２０２は、有線通信、光通信、及び／又は無線通信チャネルの任意の組み合わせを含んでもよいバックホール１０を介して、制御部１０８に接続される。本明細書の例では、制御部２０８は、３ＧＰＰ  ＬＴＥ通信システムの、モビリィティ管理エンティティ（ＭＭＥ）及びパケットゲートウェイ（Ｐ−ＧＷ）の機能性を含む。したがって、制御部２０８は、スケジューラ２１２を含む。本例では、スケジューラ２１２は、無線通信装置２０４、２０６間のＤ２Ｄ通信用及び基地局２０２と無線通信装置２０４、２０６との間のマクロセル通信用の時間・周波数リソースを割り当てる。
【００１５】
無線（ＵＥ）通信装置２０４、２０６は、モバイル装置、無線装置、無線通信装置、モバイル無線装置、ＵＥ、ＵＥ装置、及びそれ以外の名称と称される場合がある。無線通信ＵＥ装置２０４、２０６は、Ｄ２Ｄ構成において、基地局及び他の無線通信装置と通信するための電子部品及びコードを含む。無線通信装置は、携帯電話、パーソナルデジタルアシスタント（ＰＤＡ）、無線モデムカード、無線モデム、無線通信用電子部品を有するテレビ、ラップトップ又はデスクトップ型のコンピュータ、及び他の装置などの装置を含む。無線通信電子部品を電子装置に組み合わせることにより、無線通信装置２０４が形成されてもよい。例えば、無線通信装置は、機器、コンピュータ、又はテレビに接続された無線モデムを含んでもよい。
【００１６】
基地局２０２は、無線信号２１４、２１６、２１８、２２０を無線通信装置２０４、２０６と送受信する無線送受信部を含む。基地局及び無線通信装置２０４、２０６からの送信は、送信のシグナリング、プロトコル、及びパラメータを定義する通信仕様により定められる。通信仕様は、通信用の厳格なルールを提供してもよく、かつ具体的な実施は異なるが通信仕様には従っている一般的な要件を提供してもよい。以下の検討は、３ＧＰＰロング・ターム・エボリューション（３ＧＰＰ）の通信仕様に関するが、場合によっては、他の通信仕様が使用されてもよい。通信仕様では、少なくとも、上りリンク及び下りリンク伝送用のデータチャネル及び制御チャネルが定義され、かつ少なくとも、基地局から無線通信装置への物理下りリンク制御チャネル用の幾つかのタイミング及び周波数パラメータが特定される。
【００１７】
マクロセル通信リソース２２１が使用され、下りリンク信号２１４、２１６及び上りリンク信号２１８、２２０が送信される。基地局２０２は、通信仕様により定義され、下りリンク通信のために確保された定義済みの下りリンク通信リソースのスケジューリング済みの下りリンク通信リソースを使って、下りリンク信号２１４、２１６を無線通信装置２０４、２０６に送信する。無線通信装置は、通信仕様により定義され、上りリンク通信用に確保された定義済み上りリンク通信リソースのスケジューリング済みの上りリンク通信リソースを使って、上りリンク信号２１８、２２０を基地局に送信する。マクロセル通信リソース２２１は、各時間に分割された周波数帯を含み、各周波数帯及び時間区間は、スケジューラ２１２により識別され、かつ基地局２０２から無線通信装置２０４、２０６に送信された制御信号に記載される。したがって、通信仕様又は他のシステムのルールは、下りリンク用の適用可能な通信リソース及び上りリンク用の適用可能な通信リソースを定義する。スケジューラ２１２は、異なる時間・周波数リソースを異なる装置に割り当て、干渉を最小化する一方、リソースを効率的に利用する。したがって、１つの無線通信装置２０４と送受信する信号２１４、２１８のために使用されるスケジューリング済みのマクロセル通信リソースは、他の通信装置１０６と送受信される他の信号２１６、２２０のために使用されるスケジューリング済みのマクロセル通信リソースとは異なる。したがって、本明細書で参照されるように、マクロセル通信リソース２２１は、仕様及び／又は通信システムルールにより通信のために確保される通信リソースである。しかし、特定の信号を送信するためのスケジューリング済みのリソースは、確保されたマクロセル通信リソース２２１の一部である。
【００１８】
定義済みのマクロセル通信リソースの一部は、Ｄ２Ｄ通信のために割り当てられる（スケジューリングされる）。Ｄ２Ｄ通信リソース２２２と称される、定義済みのマクロセル通信リソース２２１の当該部分（２２２）は、典型的には、適宜、動的に、かつチャネルの条件及び他の基準に基づいて、スケジューリングされる。したがって、スケジューラ２１２は、定義済みマクロセル下りリンク通信リソース及び定義済みマクロセル上りリンク通信リソース、又はその両方、のいずれかをＤ２Ｄ通信のために割り当ててもよい。
【００１９】
ある状況では、望ましくは、基地局を介さずに、無線通信装置がＤ２Ｄ通信リンクを介して直接通信する。Ｄ２Ｄ通信中、第１の無線通信装置２０４は、第１のＤ２Ｄ信号２２４を第２の無線通信装置２０６に送信し、第２の無線通信装置２０６は、第２のＤ２Ｄ信号２２６を第１の無線通信装置２０４に送信する。場合によっては、Ｄ２Ｄ送信は、１方向のみでもよい。例えば、Ｄ２Ｄリンクは、ラップトップからディスプレイまで確立されてもよく、この場合、ラップトップだけがブロードキャスト、ストリーミング、及び他の目的のためにディスプレイに対して信号を送信する。Ｄ２Ｄ通信の幾つかの利点には、セル内の干渉の削減及び無線通信装置での電池消費の削減が挙げられる。例えば、Ｄ２Ｄ無線通信装置が互いに近傍である場合、送信電力のレベルはマクロセル基地局への送信に必要なレベルと比較して大きく削減できる。その結果、電力信号が低下するため、セル内の干渉が減少する。低下した送信電力は、また、電池の消費も削減する。
【００２０】
効率的なＤ２Ｄ通信のために、無線通信装置は、典型的には、互いに近接しなければならない。多数の無線通信装置が移動型であるので、任意の２つの装置間の距離は変化する。その結果、ネットワーク又は無線通信装置の１つのいずれかは、無線通信装置がＤ２Ｄ通信のために十分近いかどうかを判別しなければならない。本明細書の例では、無線通信装置が一方の無線通信装置から送信された参照信号を受信することにより、他方の近傍の無線通信装置を検出する。検出後、無線通信装置は、Ｄ２Ｄ通信リンク２０２を開始することを試みてもよい。
【００２１】
スケジューラ２１２は、基地局２０２と無線通信装置２０４、２０６との間の通信のための時間・周波数リソースを割り当てる。更に、制御部２０８、スケジューラ２１２、及び／又は基地局２０２は、上りリンクに関するサウンディング参照信号（ＳＲＳ）をスケジューリングする。本明細書内で検討される例では、スケジューラ２１２は、また、Ｄ２Ｄ  ＳＲＳなどのＤ２Ｄ参照信号の送信のための時間・周波数リソースを無線通信ＵＥ装置２０４、２０６から割り当て（スケジューリングし）、装置間（Ｄ２Ｄ）通信リンク２０１を確立及び／又は維持する。Ｄ２Ｄ  ＳＲＳ送信は、装置検出／発見、信号取得（受信）、チャネル推定、及びＣＳＩ決定のために使用される。かかる技術の例が、２０１２年１１月１２日に出願された、国際出願ＵＳ２０１２／６４７１２号明細書、整理番号ＴＵＴＬ  ００２１２  ＰＣに説明されており、参照によりその全体が本明細書に組み込まれる。したがって、本明細書の例では、無線通信装置は、Ｄ２Ｄ  ＳＲＳ信号を送受信することにより、近傍の他の無線通信装置を検出／発見する。Ｄ２Ｄ  ＳＲＳ信号は、上記の参照信号１０８の例である。
【００２２】
したがって、本明細書で検討される確認技術が図２のシステムのようなＤ２Ｄシステムに適用される場合、第２のＵＥ装置は、Ｄ２Ｄ通信信号を基地局により割り当てられたＤ２Ｄ通信リソースを使って第１の無線通信装置へ送る。第１のＵＥ装置２０２は、１つ又は複数のＳＲＳ信号を定期的に送り、該ＳＲＳ信号が符号化又はスクランブル化され、確認応答（ＡＣＫ又はＮＡＣＫ）をＤ２Ｄ通信信号に対して示す。第２のＵＥ装置２０４はＳＲＳを受信し、ＡＣＫ符号に基づくＡＣＫデスクランブリング符号及びＮＡＣＫ符号に基づくＮＡＣＫスクランブリング符号を少なくとも使って、ＳＲＳの復号を試みる。場合によっては、第２のＵＥ装置２０４は、また、第１のＵＥ装置の装置ＩＤだけに基づいたスクランブリング符号を使って参照信号の復号を試みる。
【００２３】
図３は、第１の無線通信装置１０２の一例のブロック図である。無線通信装置１０２は、少なくとも、送信部３０２と、受信部３０４と、制御部３０６と、符号化器３０８と、を含む。図３の２つ以上の機能ブロックが１つの装置に統合され、１つの任意の装置で実行されるように記載された機能は、複数の装置に亘って実施されてもよい。例えば、符号化器３０８の機能の少なくとも一部は、制御部３０６により実行されてもよく、その逆でもよい。無線通信装置１０２は、また、例えば、記憶装置及びアンテナなど、図示されない他の装置及び回路を含んでもよい。送信部３０２及び受信部３０４は、おのおの、信号を送受信するための電子部品を含み、ハードウェア、ソフトウェア、及び／又はファームウェアの任意の組み合わせを含んでもよい。大半の状況では、移動型無線通信装置１０２は、また、例えば、ビジュアルディスプレイ、キーボード、タッチスクリーン、マイクロフォン、及びスピーカー（図示せず）などの入出力装置を含む。
【００２４】
送信部３０２は、一連の伝送時間１０８で、参照信号１０８を送信するように構成される。受信部３０４は、別の無線通信装置１０４から通信信号１１８を受信するように構成される。制御部３０８は、無線通信装置１０２の全体の動作性を容易にすることに加えて、上記の機能を実行する任意のプロセッサ、プロセッサの配置、論理回路、電気回路、電子部品の配置、符号、又はそれらの組み合わせである。制御部は、通信信号に応じて、確認応答が第２の装置に送信されるべきであると決定するように構成される。特定のシステムプロトコル及び既知の技術に従って、制御部は、到来信号を処理し、いつＡＣＫ又はＮＡＣＫを第２の無線通信装置１０４に送信するかを決定する。制御部３０８は、符号化器３０８を含んで、無線通信装置１０２内の適当な回路に対して、適当な確認応答を送信するように指示する。符号化器は、一連の伝送時間のうち少なくとも１つの伝送時間で、符号を参照信号に適用し、確認応答を示す符号化参照信号を生成するように構成される。符号化器は、ＡＣＫ応答に対してＡＣＫ符号を適用し、ＮＡＣＫ応答に対してＮＡＣＫ符号を適用する。送信部が、その後、符号化参照信号を第２の無線通信装置１０４に送信する。
【００２５】
図４は、第２の無線通信装置１０４の一例のブロック図である。無線通信装置１０４は、少なくとも、送信部４０２と、受信部４０４と、制御部４０６と、復号器４０８と、を含む。図４の２つ以上の機能ブロックが１つの装置に統合され、１つの任意の装置において実行されるように記載される機能は、複数の装置に亘って実施されてもよい。例えば、復号器４０８の機能の少なくとも一部は、制御部４０８により実行され、その逆でもよい。無線通信装置１０４は、また、例えば、記憶装置及びアンテナなど、図示されない他の装置及び回路を含んでもよい。送信部４０２及び受信部３０４は、おのおの、信号を送受信するための電子部品を含み、ハードウェア、ソフトウェア、及び／又はファームウェアの任意の組み合わせを含んでもよい。大半の状況では、移動型無線通信装置１０４は、また、例えば、ビジュアルディスプレイ、キーボード、タッチスクリーン、マイクロフォン、及びスピーカー（図示せず）などの入出力装置を含む。第２の無線通信装置１０４は、また、第１の無線通信装置１０２の機能性を含んでもよく、その逆でもよい。
【００２６】
送信部４０２は、通信信号１１８を送信するように構成される。第２の無線通信装置１０４は、通信信号１１８に応じて、第１の無線通信装置から送信される確認応答を検出するように構成される。受信部４０４は、第１の無線通信装置１０２から送信された複数の参照信号を受信するように構成される。上記のように、第１の無線通信装置は、一連の伝送時間１０８で、参照信号１０６を送信し、徐々に複数の参照信号を送信する。制御部４０６は、無線通信装置１０４の全体の動作性を容易にすることに加えて、上記の機能を実行する任意のプロセッサ、プロセッサの配置、論理回路、回路、電子部品の配置、コード、又はそれらの組み合わせである。制御部４０６は、通信信号に応じて、確認応答が第２の装置に送信されるべきであると決定するように構成される。特定のシステムプロトコル及び既知の技術に従って、制御部４０６は、第１の無線通信装置１０２からいつＡＣＫまたはＮＡＣＫが期待できるかを判別する。制御部４０６は、復号器４０８を含む、無線通信装置１０４内の適当な回路に対して、到来参照信号を受信して処理するように指示する。復号器４０８は、フロントエンド受信部４１０を介して受信した到来参照信号に符号を適用し、どの確認が送信されたかを判別するように構成される。本明細書での例として、復号器４０８は、肯定応答スクランブリング符号（ＡＣＫスクランブリング符号）を複数の参照信号のうち少なくとも１つの参照信号に適用し、否定応答スクランブリング符号(ＮＡＣＫスクランブリング符号)を参照信号に適用する。スクランブリング符号毎の復号の結果に基づいて、制御部は、どちらの確認応答が送信されたかを判別する。場合によっては、他の回路を使って確認応答を識別してもよい。参照信号が肯定応答スクランブリング符号（ＡＣＫスクランブリング符号）によりデスクランブル化が成功した場合、肯定応答（ＡＣＫ）が第１の無線通信装置により送信されたと判別する。参照信号が否定応答スクランブリング符号（ＮＡＣＫスクランブリング符号）によりデスクランブル化が成功した場合、否定応答（ＮＡＣＫ）が第１の無線通信装置により送信されたと判別する。１つの例では、デスクランブラ及び積分器により形成された相関器は、適用されたスクランブリング符号が確認の種類と一致する場合、最大出力を有する出力信号を提供する。ＡＣＫ相関器は、ＡＣＫスクランブリング符号を使って到来信号のデスクランブル化を行い、その結果、得られた信号を積分器を介して供給する。ＮＡＣＫ相関器は、ＮＡＣＫデスクランブリング符号を使って到来信号のデスクランブル化を行い、その結果、得られた信号を積分器を介して供給する。最大出力を有する相関器は、確認応答（ＡＣＫ又はＮＡＣＫ）の種類を示す。
【００２７】
図５Ａ、図５Ｂ、及び図５Ｂは、符号化器３０８としての使用に適した一例としての排他的論理和（ＸＯＲ）符号化器５００の図である。論理和符号化器５００の機能は、回路、論理ゲート、プロセッサ、コード、及び装置の任意の組み合わせにより実施される。例として、論理和符号化器５００は、排他的論理和（ＸＯＲ）器５０２と、ミキサーなどのスクランブリング器５０４と、を含む。スイッチ５０６、５０８、５１０を使って、適当な信号を論理和装置５０２及びスクランブリング器５０４に方向付ける。図５Ａでは、第１のスイッチ５０６は閉じられていて、第２のスイッチ５０８は開放されており、第３のスイッチは、論理和装置の出力に方向付けられている。その結果、ＸＯＲ関数が第１の無線通信装置１０２のＡＣＫ符号５１２及び装置ＩＤ５１４に適用され、ＡＣＫスクランブリング符号５１６が生成される。ＡＣＫ符号は、任意のシンボルの組み合わせでもよいが、シンボルの組み合わせは、別の装置の能力を最大化してＡＣＫ参照信号のデスクランブル化が成功するように選択されてもよい。本明細書での例として、ＡＣＫ符号は、「００１００１００１００１」である。他の符号を使用してもよい。ＡＣＫスクランブリング符号５１８を使用して、空白の参照信号のスクランブルを行い、ＡＣＫ（ＡＣＫ参照信号１１２）を示す参照信号を生成する。
【００２８】
図５Ｂでは、論理和符号化器５００は、ＮＡＣＫ参照信号１１０を生成するように構成される。この構成のために、第１のスイッチ５０６は開かれ、第２のスイッチは閉じられる。第３のスイッチ５１０は論理和装置の出力を選択する。その結果、ＸＯＲ関数がＮＡＣＫ符号５１８及び装置ＩＤ５１４に適用され、ＮＡＣＫスクランブリング符号５２２が生成される。ＮＡＣＫ符号は、任意のシンボルの組み合わせでもよいが、シンボルの組み合わせは、別の装置の能力を最大化してＮＡＣ参照信号のデスクランブル化が成功するように選択されてもよい。本明細書での例として、ＡＣＫ符号は、「１１０１１０１０１１０」である。他の符号を使用してもよい。ＮＡＣＫスクランブリング符号５２０は、空白の参照信号と混合され、ＮＡＣＫ参照信号が生成される。
【００２９】
図５Ｃでは、論理和符号化器５００は、確認応答なしに、参照信号を生成するように構成される。第１及び第２のスイッチ５０６、５０８は、開かれており、第３のスイッチは、装置ＩＤをスクランブリング器５０４に方向付ける。その結果、空白の参照信号が装置ＩＤを使ってスクランブル化され、参照信号１１０などの参照信号が生成される。
【００３０】
図６は、第２の無線通信装置１０４において受信部１０４としての使用に適した受信部６００の図である。受信部６００は、フロントエンド処理及び到来参照信号の中間処理を実行し、デジタル信号をデコーダ６０２に提供するフロントエンド受信部４１０を含む。デコーダ６０２は、ＡＣＫスクランブリング符号及びＮＡＣＫスクランブリング符号を使って、同時に信号のデスクランブル化を行い、どの確認応答が送信されたかを決定する。場合によっては、確認応答が送信されなかった場合、受信部６００はまた、装置ＩＤにのみ基づくデスクランブリング符号を使って、参照信号を受信してもよい。ＸＯＲ関数は、第１の論理和装置６０４によりＡＣＫ符号及び装置ＩＤに適用される。その結果、得ることができるＡＣＫスクランブリング符号６０６は、ミキサー（乗算器）６０８により、到来デジタル信号と乗算される。ＡＣＫが送信された場合、参照信号の受信は成功する。ＸＯＲ関数は、第２の論理和装置６１０によりＮＡＣＫ符号及び装置ＩＤに適用される。その結果、得ることができるＮＡＣＫスクランブリング符号６１２は、ミキサー（乗算器）６１４により、到来デジタル信号と乗算される。ＮＡＣＫが送信された場合、参照信号の受信は成功する。以上説明したように、乗算器及び相関器などのデスクランブラは、一致するタイプの符号を使って到来信号のデスクランブル化を行う場合、最大出力を提供する相関器を形成できる。他の受信部を使って確認の種類を決定してもよい。
【００３１】
図７は、参照信号確認応答を生成する無線通信装置において実行される方法のフローチャートである。
【００３２】
ステップ７０２では、参照信号が一連の伝送時間で送信される。無線通信装置は、参照信号を連続して送信し、本方法を実行する間、ステップ７０２は継続する。
【００３３】
ステップ７０４では、通信信号が第２の装置から受信される。
【００３４】
ステップ７０６では、確認応答が送信されるべきか否か、かつ確認応答が何を示すべきかを判別する。肯定確認応答（ＡＣＫ）が送信されるべき場合、本方法はステップ７０８に続く。否定確認応答（ＮＡＣＫ）が送信されるべき場合、本方法はステップ７１２に続く。ステップ７０８及び７１２の結果により、一連の伝送時間のうち少なくとも１つの伝送時間で符号を参照信号に適用し、確認応答を示す符号化参照信号が少なくとも１つ生成される。
【００３５】
ステップ７０８では、ＡＣＫ符号から導出したＡＣＫスクランブリング符号を使って空白の参照信号を符号化する。１つの例では、ＸＯＲ関数がＡＣＫ符号及び装置ＩＤに適用され、ＡＣＫスクランブリング符号が生成される。ＡＣＫスクランブリング符号は、その後、空白の参照信号と混合され、ＡＣＫ参照信号が生成される。
【００３６】
ステップ７１０では、ＡＣＫ参照信号が第２の無線通信装置に送信される。ＡＣＫ参照信号は、ＡＣＫを示す。
【００３７】
ステップ７１２では、ＮＡＣＫ符号から導出したＮＡＣＫスクランブリング符号を使って空白の参照信号を符号化する。１つの例では、ＸＯＲ関数がＮＡＣＫ符号及び装置ＩＤに適用され、ＮＡＣＫスクランブリング符号が生成される。ＮＡＣＫスクランブリング符号は、その後、空白の参照信号と混合され、ＡＣＫ参照信号が生成される。
【００３８】
ステップ７１４では、ＮＡＣ参照信号が第２の無線通信装置に送信される。ＮＡＣＫ参照信号は、ＮＡＣＫを示す。
【００３９】
確認応答を必要としない状況では、参照信号は、装置ＩＤに基づくスクランブリング符号により生成される。したがって、複数の参照信号が徐々に送信されるが、この場合、参照信号の一部には、ＮＡＣＫ又はＡＣＫが含まれる。
【００４０】
図８は、無線通信装置１０４において確認参照信号を受信する方法のフローチャートである。
【００４１】
ステップ８０２では、通信信号が第１の無線通信装置１０２に送信される。通信信号１１８は、第１の無線通信装置１０２から確認応答を要求する。
【００４２】
ステップ８０４では、参照信号が受信される。上記のように、第１の無線通信装置１０２が参照信号を連続的に及び定期的に送信する。
【００４３】
本方法には、ＡＣＫ符号及びＮＡＣＫ符号から導出したスクランブリング符号を到来参照信号に適用する工程を含む。本明細書での例として、スクランブリング符号は、同時に適用される。その結果、ステップ８０６、８１２が実施例のステップ８０８、８１８と同時に実行される。
【００４４】
ステップ８０６では、ＡＣＫスクランブリング符号が到来信号に適用される。ＡＣＫスクランブリング符号は、装置ＩＤ及びＡＣＫ符号から導出される。
【００４５】
ステップ８１２では、ＡＣＫスクランブリング符号を適用することにより、参照信号の受信が成功したかどうかを判別する。信号の受信が成功すると、本方法は、ステップ８１４に続き、ＡＣＫが受信されたと判別する。そうでなければ、本方法は、ステップ８１６に続き、ＡＣＫが送信されていないと判別する。
【００４６】
ステップ８０８では、ＮＡＣＫスクランブリング符号が到来信号に適用される。ＮＡＣＫスクランブリング符号は、装置ＩＤ及びＮＡＣＫ符号から導出される。
【００４７】
ステップ８１８では、ＮＡＣＫスクランブリング符号を適用することにより、参照信号の受信が成功したかどうかを判別する。信号の受信が成功すると、本方法は、ステップ８２０に続き、ＮＡＣＫが受信されたと判別する。そうでなければ、本方法は、ステップ８２２に続き、ＮＡＣＫが送信されていないと判別する。
【００４８】
明らかに、本発明の他の実施形態及び変更例は、これらの教示を参酌して、当業者に容易に創作されるだろう。上述の記載は、例示的であり限定的なものではない。本発明は、上記の明細書及び添付の図面に基づく実施形態及び変更例の全てを含む、以下の請求項によってのみ限定される。したがって、本発明の範囲は、上記の記載を参照して決定されるのではなく、均等物の全範囲と共に添付される請求項を参照して決定されるべきである。
【図１Ａ】
0005973660.tif 000002
【図１Ｂ】
0005973660.tif 000003
【図１Ｃ】
0005973660.tif 000004
【図２】
0005973660.tif 000005
【図３】
0005973660.tif 000006
【図４】
0005973660.tif 000007
【図５Ａ】
0005973660.tif 000008
【図５Ｂ】
0005973660.tif 000009
【図５Ｃ】
0005973660.tif 000010
【図６】
0005973660.tif 000011
【図７】
0005973660.tif 000012
【図８】
0005973660.tif 000013